(57)【要約】  信号処理装置（１００）が、映像の種別を、２Ｄと３Ｄとを含む複数から示す入力制御信号を格納する制御信号格納部（１１０）と、前記種別が変化してから、一定の時間内に、元の種別に戻っていることを判定する制御信号判定部（１２０）と、判定がされた場合、変化期間における入力制御信号を、変換し、出力制御信号として出力する制御信号変換部（１３０）と、前記入力制御信号と、前記出力制御信号が異なる場合、入力映像信号を変換し、出力する映像信号変換部（１４０）とを備える。
2013001784.tif 000002
【特許請求の範囲】
【請求項１】
映像の種別を、２Ｄの種別と、３Ｄの種別とを含む複数の種別のうちから示す入力制御信号を格納する制御信号格納部と、
前記入力制御信号により示される前記種別が、元の制御信号での元の種別から、別の制御信号での別の種別に変化してから、一定の時間内に、前記元の種別に戻っていることを判定する制御信号判定部と、
判定がされた場合、変化している期間における前記入力制御信号を、変換後の制御信号へと変換し、変換後の前記制御信号を、出力制御信号として出力する制御信号変換部と、
入力映像信号を格納する映像信号格納部と、
前記入力制御信号と、前記出力制御信号が異なる場合、前記入力映像信号を、前記入力制御信号により示される前記種別とは異なる他の種別の、変換後の映像信号へと変換し、前記変換後の映像信号を、出力映像信号として出力する映像信号変換部とを備える信号処理装置。
【請求項２】
前記変換後の映像信号は、前記出力制御信号である前記変換後の制御信号により示される前記種別のフォーマットに変換された映像信号である請求項１記載の信号処理装置。
【請求項３】
前記判定は、当該信号処理装置により、予め定められた前記入力映像信号が入力される際に行われ、
予め定められた前記入力映像信号は、
当該入力映像信号の種別が、当該入力映像信号が含まれる信号における、当該入力映像信号の期間の直前での種別と異なり、かつ、当該期間の直後での種別とも異なり、
当該入力映像信号の期間の長さが、前記一定の時間の長さ以内の、比較的短い長さであり、
当該入力映像信号の前記期間における前記出力映像信号として、当該入力映像信号と同じ映像信号が出力されると、弊害が生じる恐れがある映像信号であり、
出力される、当該期間の前記出力映像信号は、前記同じ映像信号ではなく、当該入力映像信号が変換された、当該入力映像信号の種別とは別の種別の映像信号である請求項１記載の信号処理装置。
【請求項４】
第１の映像の種別と、第２の映像の種別とを含む複数の映像の種別のうちから映像の種別を示す入力制御信号を格納し、入力映像信号を格納する信号格納部と、
映像信号を出力する映像信号変換部とを備え、
前記映像の種別が、第１の時刻に、前記第１の映像の種別から前記第２の映像の種別に変化し、前記第１の時刻から一定の時間内にある第２の時刻に、前記第１の映像の種別に戻っている場合、前記第１の時刻から前記第２の時刻までの期間における前記入力映像信号を、前記第１の映像の種別に対応する映像信号へと変換し、変換後の映像信号を、出力映像信号として出力する信号処理装置。
【請求項５】
前記第１の映像の種別は２Ｄであり、前記第２の映像の種別は３Ｄである請求項４記載の信号処理装置。
【請求項６】
前記第１の映像の種別は３Ｄであり、前記第２の映像の種別は２Ｄである請求項４記載の信号処理装置。
【請求項７】
前記信号格納部は、前記入力制御信号を格納する制御信号格納部と、前記入力映像信号を格納する映像信号格納部を備える請求項４記載の信号処理装置。
【請求項８】
前記変換後の映像信号は、黒映像の映像信号である請求項４記載の信号処理装置。
【請求項９】
前記変換後の映像信号は、示される前記映像の種別が変化する前の最後の時刻での前記入力映像信号の映像の種別と同じ映像の種別の映像信号である請求項４記載の信号処理装置。
【請求項１０】
前記制御信号格納部に格納される前記入力制御信号は、前記２Ｄの種別と、前記３Ｄの種別である、サイドバイサイド、および、トップアンドボトムの２つの種別とを含む３以上の種別のうちから、種別を示す情報を含む請求項７記載の信号処理装置。
【請求項１１】
当該信号処理装置は、ディスプレイ装置に映像信号を送信し、
前記映像信号変換部は、さらに、前記ディスプレイ装置の３Ｄ変換状態を示す情報を入力し、入力される前記情報により示される前記３Ｄ変換状態から特定される前記映像の種別の、前記変換後の映像信号へと、前記入力映像信号を変換する請求項４記載の信号処理装置。
【請求項１２】
前記映像信号変換部は、さらに、再生モードを示す情報を入力し、入力される前記情報により示される前記再生モードから特定される前記映像の種別の、変換後の前記映像信号へと、前記入力映像信号を変換する請求項４記載の信号処理装置。
【請求項１３】
映像の種別を、２Ｄの種別と、３Ｄの種別とを含む複数の種別のうちから示す入力制御信号を格納する制御信号格納工程と、
前記入力制御信号により示される前記種別が、元の制御信号での元の種別から、別の制御信号での別の種別に変化してから、一定の時間内に、前記元の種別に戻っていることを判定する制御信号判定工程と、
前記判定がされた場合、変化している期間における前記入力制御信号を、変換後の制御信号へと変換し、変換後の前記制御信号を、出力制御信号として出力する制御信号変換工程と、
入力映像信号を格納する映像信号格納工程と、
前記入力制御信号と、前記出力制御信号が異なる場合、前記入力映像信号を、前記入力制御信号により示される前記種別とは異なる他の種別の、変換後の映像信号へと変換し、前記変換後の映像信号を、出力映像信号として出力する映像信号変換工程とを含む信号処理方法。
【請求項１４】
前記変換後の映像信号は、前記出力制御信号である前記変換後の制御信号により示される前記種別のフォーマットに変換された映像信号である請求項１３記載の信号処理方法。
【請求項１５】
前記変換後の映像信号は、黒映像の映像信号である請求項１３記載の信号処理方法。
【請求項１６】
前記変換後の映像信号は、示される前記種別が変化する前の最後の時刻での前記入力映像信号の種別と同じ種別の映像信号である請求項１３記載の信号処理方法。
【請求項１７】
前記制御信号格納工程で格納される前記入力制御信号は、前記２Ｄの種別と、前記３Ｄの種別である、サイドバイサイド、および、トップアンドボトムの２つの種別とを含む３以上の種別のうちから、種別を示す情報を含む請求項１３記載の信号処理方法。
【請求項１８】
当該信号処理方法では、ディスプレイ装置に映像信号を送信し、
前記映像信号変換工程では、さらに、前記ディスプレイ装置の３Ｄ変換状態を示す情報を入力し、入力される前記情報により示される前記３Ｄ変換状態から特定される前記種別の、変換後の前記映像信号へと、前記入力映像信号を変換する請求項１３記載の信号処理方法。
【請求項１９】
前記映像信号変換工程では、さらに、再生モードを示す情報を入力し、入力される前記情報により示される前記再生モードから特定される前記種別の、変換後の前記映像信号へと、前記入力映像信号を変換する請求項１３記載の信号処理方法。
【請求項２０】
少なくとも、符号化データを入力する入力部と、
入力した前記符号化データを復号化することで、制御信号と映像信号とを各々出力する復号部と、
出力された前記制御信号を、入力制御信号として格納する制御信号格納部と、
前記入力制御信号により示される種別が、元の制御信号での元の種別から、別の制御信号での別の種別に変化してから、一定の時間内に、前記元の種別に戻っていることを判定する制御信号判定部と、
判定がされた場合、変化している期間における前記入力制御信号を、変換後の制御信号へと変換し、前記変換後の制御信号を、出力制御信号として出力する制御信号変換部と、
出力された前記映像信号を、入力映像信号として格納する映像信号格納部と、
前記入力制御信号と、前記出力制御信号が異なる場合、前記入力映像信号を、前記入力制御信号により示される前記種別とは異なる他の種別の、変換後の映像信号へと変換し、前記変換後の映像信号を、出力映像信号として出力する映像信号変換部と、
出力された前記出力制御信号と前記出力映像信号とを入力し、表示信号として、当該映像再生装置の外部へと送出する表示信号送受信部とを備える映像再生装置。
【発明の詳細な説明】
【技術分野】
【０００１】
本発明は、表示時刻に応じて、２Ｄ映像と３Ｄ映像とが切り替わる映像を再生する信号処理装置、信号処理方法および映像再生装置に関するものである。
【背景技術】
【０００２】
近年、３Ｄ表示に対応したデジタルテレビの普及が始まり、高画質なハイビジョン映像による３Ｄ映像を視聴可能な家庭が増えつつある。最近では、３Ｄ対応のビデオレコーダの普及も始まっており、３Ｄに対応した、ハイビジョン画質のパッケージメディアの視聴が可能な環境が整ってきている。【０００３】
また、一部では、３Ｄ映像による放送も始まっており、近い将来、３Ｄ対応のビデオレコーダに、３Ｄ放送の映像を録画し、録画した映像を編集することで、表示時刻に応じて、２Ｄ映像と３Ｄ映像とが短時間で切り替わる映像が作成され、再生される機会があるものと思われる。【０００４】
従来の画像処理装置は、２Ｄ画像および３Ｄ画像を記憶する記憶手段と、前記記憶手段に記憶された前記２Ｄ画像を、新たな３Ｄ画像へと変換する画像変換手段と、前記記憶手段に記憶された前記３Ｄ画像と、前記画像変換手段によって、前記２Ｄ画像から変換された前記新たな３Ｄ画像とを出力する画像出力手段から構成されている。【０００５】
なお、このような構成は、例えば特許文献１に記載されている。
【先行技術文献】
【特許文献】
【０００６】
【特許文献１】特開２００８−５２０３号公報
【発明の概要】
【発明が解決しようとする課題】
【０００７】
上記の構成では、記憶手段に保存された、２Ｄまたは３Ｄの画像を、画像変換手段により、新たな２Ｄまたは３Ｄの画像へと変換し、画像出力手段より、変換した後の画像を出力させることにより、画像の切り替わりを解消していた。【０００８】
しかしながら、上記の構成では、画像のみを変換している。このため、制御信号の、２Ｄまたは３Ｄの切り替わりが、短時間で頻繁に起こる場合、ディスプレイ装置で、２Ｄまたは３Ｄの映像方式の切り替わりが発生する。このため、ディスプレイの周波数の切り替えに伴う、映像の乱れが生じたり、映像が出力できない期間が頻繁に発生したり、映像方式の頻繁な切り替わりによる、視聴者の目の疲れを発生させるという課題を有していた。【０００９】
本発明は、上記従来の問題点を解決するもので、制御信号と映像信号の変化による、ディスプレイ装置の、２Ｄまたは３Ｄの切り替えを発生させることなく、表示時刻に応じて、２Ｄ映像と３Ｄ映像が切り替わる映像を再生することができる信号処理装置、信号処理方法および映像再生装置を提供することを目的とする。【００１０】
なお、本発明の他の目的の少なくとも一部は、出力される出力映像信号が、より適切な映像信号である信号処理装置を提供することである。
【課題を解決するための手段】
【００１１】
本発明の信号処理装置は、映像の種別を、２Ｄの種別と、３Ｄの種別とを含む複数の種別のうちから示す（特定する）入力制御信号を格納する制御信号格納部と、前記入力制御信号により示される前記種別が、元の制御信号での元の種別から、別の制御信号での別の種別に変化してから、一定の時間内に、前記元の種別に戻っていることを判定する制御信号判定部と、判定がされた場合、変化している期間における前記入力制御信号を、変換後の制御信号へと変換し、変換後の前記制御信号を、出力制御信号として出力する制御信号変換部と、入力映像信号を格納する映像信号格納部と、前記入力制御信号と、前記出力制御信号が異なる場合、前記入力映像信号を、前記入力制御信号により示される前記種別とは異なる他の種別の、変換後の映像信号へと変換し、前記変換後の映像信号を、出力映像信号として出力する映像信号変換部とを備える。
【発明の効果】
【００１２】
本発明による信号処理装置では、入力制御信号を変換した出力制御信号と、入力映像信号を変換した出力映像信号とを出力することで、制御信号と映像信号の変化による、ディスプレイ装置での、２Ｄおよび３Ｄの間での切り替えを発生させることなく、好適な映像を表示させることができるという効果を得ることができる。【００１３】
出力される出力映像信号（図５の出力映像信号５０５ｘなどを参照）が、比較的適切な映像信号（出力映像信号５１０などを参照）にできる。
【図面の簡単な説明】
【００１４】
【図１】図１は、本発明の実施例１の信号処理装置の構成を示すブロック図である。
【図２】図２は、本発明の実施例１の制御信号変換部における制御信号の変換工程を示すフローチャートである。
【図３】図３は、本発明の実施例１の制御信号変換部における制御信号の変換例を示す図である。
【図４】図４は、本発明の実施例１の映像信号変換部における映像信号の変換工程を示すフローチャートである。
【図５】図５は、本発明の実施例１の映像信号変換部における映像信号の変換例を示す図である。
【図６】図６は、本発明の実施例２の構成を示すブロック図である。
【図７】図７は、本発明の実施例２の映像信号変換部における映像信号の変換工程を示すフローチャートである。
【図８】図８は、本発明の実施例２の映像信号変換部における映像信号の変換例を示す図である。
【図９】図９は、本発明の実施例３の構成を示すブロック図である。
【図１０】図１０は、本発明の実施例３の映像信号変換部における映像信号の変換工程を示すフローチャートである。
【発明を実施するための形態】
【００１５】
以下、本発明を実施するための形態について、図面を参照しながら説明する。なお、実施の形態において同じ符号を付した構成要素は同様の動作を行うので、再度の説明を省略する場合がある。なお、以下で説明する実施の形態は、いずれも本発明の比較的好ましい一具体例を示すものである。以下の実施の形態で示される数値、構成要素、構成要素の配置及び接続形態、ステップ、ステップの順序などについては、何れも、単なる一例であり、本発明を限定する主旨ではない。本発明は、請求の範囲だけによって限定される。よって、以下の実施の形態における構成要素のうち、本発明の最上位概念を示す独立請求項に記載されていない構成要素については、本発明の課題を達成するのに必ずしも必要ではないが、比較的好ましい形態を構成するものとして説明される。
【００１６】
以下で開示される装置は、映像の種別を、２Ｄの種別と、３Ｄの種別とを含む複数の種別のうちから示す（特定する）入力制御信号（入力制御信号５０３ｘ）を格納する制御信号格納部１１０を備える。ここで、前記入力制御信号（入力制御信号５０３ｘ）により示される前記種別が、元の制御信号（入力制御信号５０３を参照）での元の種別（２Ｄ）から、別の制御信号（入力制御信号５０８を参照）での別の種別（３Ｄ）に変化してから、一定の時間内に、前記元の種別（２Ｄ）に戻っていることを判定する制御信号判定部１２０を備える。また、判定がされた場合、変化している期間における前記入力制御信号（入力制御信号５０８）を、変換後の制御信号（出力制御信号５０９）へと変換し、変換後の前記制御信号（出力制御信号５０９）を、当該信号処理装置６００の外部（例えば、図６のディスプレイ装置６２０など）への出力制御信号（出力制御信号５０４ｘ）として出力する制御信号変換部１３０を備える。また、入力映像信号（入力映像信号５０１ｘ）を格納する映像信号格納部１５０を備える。また、前記入力制御信号（入力制御信号５０３ｘ）と、前記出力制御信号（出力制御信号５０４ｘ）が異なる場合（Ｓ４０１のＹＥＳ、入力制御信号５０８及び出力制御信号５０９）、前記入力映像信号（入力映像信号５０６）を、前記入力制御信号（入力制御信号５０８）により示される前記種別（３Ｄ）とは異なる他の種別（２Ｄ）の、変換後の映像信号（出力映像信号５１０）へと変換し、前記変換後の映像信号（出力映像信号５１０）を、前記外部（ディスプレイ装置６２０）への出力映像信号（５０５ｘ）として出力する映像信号変換部６６０を備える。このような装置である信号処理装置６００（映像再生装置６１０）が、以下で開示される。
【００１７】
なお、例えば、制御信号により、表示される映像を特定する映像信号の種類（種別）が示されることにより、示される種類の映像信号の映像の種類が、表示される映像の種類として、特定されてもよい。映像としては、２Ｄ映像と、３Ｄ映像とを含む２つ以上の種類の映像があってもよい。
【００１８】
これにより、変化している期間（入力映像信号５０６（入力制御信号５０８）の期間）が、上述の一定の時間内で、出力される出力映像信号（出力映像信号５０５ｘ）が、その期間の入力映像信号（入力映像信号５０６）と同じ映像信号であると、弊害が生じることが判定される。
【００１９】
そして、この判定がされた場合には、出力される出力映像信号（出力映像信号５０５ｘ）が、入力映像信号（入力映像信号５０６）と同じ映像信号でなく、その入力映像信号（入力映像信号５０６）の種別（３Ｄ）とは異なる他の種別（２Ｄ）の、変換後の出力映像信号（出力映像信号５１０）にされる。
【００２０】
これにより、弊害が生じるのが回避され、出力される出力映像信号（出力映像信号５０５ｘ）が、より適切な映像信号（出力映像信号５１０）にできる。
【００２１】
なお、弊害とは、先述の通り、例えば、周波数の切り換えがされることにより生じる弊害などである。
【００２２】
すなわち、弊害としては、具体的には、映像の乱れが生じてしまう弊害、ユーザの目が疲れてしまう弊害などが挙げられる。
【００２３】
なお、このように、前記判定は、当該信号処理装置（信号処理装置１００、６００など）により、予め定められた前記入力映像信号（入力映像信号５０６）が入力される際に行われてもよい。予め定められた前記入力映像信号（入力映像信号５０６）については、次の通りでもよい。すなわち、例えば、当該入力映像信号の種別（３Ｄ）が、当該入力映像信号が含まれる信号（入力映像信号５３）における、当該入力映像信号の期間の直前での種別（２Ｄ）と異なり、かつ、当該期間の直後での種別（２Ｄ）とも異なってもよい。そして、当該入力映像信号（入力映像信号５０６）の期間の長さが、前記一定の時間の長さ（予め定められた閾値）以内の、比較的短い長さでもよい。そして、当該入力映像信号（入力映像信号５０６）の前記期間における前記出力映像信号（出力映像信号５１０）として、当該入力映像信号（入力映像信号５０６）と同じ映像信号が出力されると、弊害が生じる恐れがあってもよい。そして、出力される、当該期間の前記出力映像信号（出力映像信号５１０）は、前記同じ映像信号ではなく、当該入力映像信号（入力映像信号５０６）が変換された、当該入力映像信号（入力映像信号５０６）の種別（３Ｄ）とは別の種別（２Ｄ）の映像信号（出力映像信号５１０）でもよい。
【００２４】
これにより、同じ映像信号が出力されず、別の種別の、変換後の映像信号が出力されることにより、出力される出力映像信号５０５ｘが、より適切な出力映像信号５１０にされてもよい。
【００２５】
（実施例１）
本実施例１において、本発明に係る信号処理装置について説明する。
【００２６】
図１は、本実施例における信号処理装置１００の構成を示すブロック図である。
【００２７】
図１において、信号処理装置１００は、制御信号格納部１１０と、制御信号判定部１２０と、制御信号変換部１３０と、映像信号変換部１４０と、映像信号格納部１５０とから構成される。
【００２８】
入力制御信号１６０および出力制御信号１６１のそれぞれの制御信号は、映像フォーマットの種別を示す信号である。つまり、それぞれの制御信号は、例えば、２Ｄを示す制御信号や、サイドバイサイド方式の３Ｄを示す制御信号や、トップアンドボトム形式の３Ｄを示す制御信号などのうちの１つである。つまり、それぞれの制御信号により、映像の種別が、これらの種別のうちから特定される。
【００２９】
入力映像信号１７０および出力映像信号１７１のそれぞれは、各種ビデオコーデックでの映像である。ビデオコーデックは、例えば、ＭＰＥＧ−２、ＭＰＥＧ−４ＡＶＣ、ＶＣ−１などのうちの１つである。
【００３０】
以上のように構成された実施例１の信号処理装置１００について、以下、その動作を詳しく説明する。
【００３１】
図２は、本発明の実施例１の制御信号変換部１３０における制御信号の変換工程を示すフローチャートである。
【００３２】
入力制御信号１６０の変換工程を、図２のフローチャートを参照して説明する。
【００３３】
ステップＳ２０１において、制御信号判定部１２０は、入力制御信号１６０の制御信号の種別が、元の制御信号（後述の図３の入力制御信号３０１を参照）での一方の種別から、別の制御信号（図３の入力制御信号３０６を参照）での他方の種別に変化した後に、変化した時刻から一定の時間内に、元の制御信号の一方の種別に戻っているかを判定する。
【００３４】
そして、入力制御信号１６０の種別が、別の制御信号の他方の種別に変化した後に、一定の時間内に、元の制御信号の一方の種別に戻ったと判定される場合には（Ｓ２０１のＹＥＳ）、ステップＳ２０２へ進む。
【００３５】
また、入力制御信号１６０の、制御信号の種別が、別の制御信号での他方の種別に変化後、一定の時間内に、元の制御信号の一方の種別に戻らない場合には（Ｓ２０１のＮＯ）、ステップＳ２０３へ進む。
【００３６】
ステップＳ２０２において、制御信号格納部１１０に、一定の時間分、格納されている入力制御信号１６０は、制御信号変換部１３０により変換され、変換後の信号が、出力制御信号１６１として出力されて、ステップＳ２０４へ進む。
【００３７】
ステップＳ２０３において、制御信号格納部１１０に、一定の時間分、格納されている入力制御信号１６０は、そのまま、出力制御信号１６１として出力され、Ｓ２０４へ進む。
【００３８】
ステップＳ２０４において、制御信号変換部１３０は、映像信号変換部１４０に、入力制御信号１６０と、出力制御信号１６１とをそれぞれ出力する。
【００３９】
図３は、本発明の実施例１の制御信号変換部１３０における、制御信号の変換処理の具体例を示す図である。
【００４０】
ここで、本実施例１における、制御信号の変換の処理の様子の一例として、３Ｄの制御信号を、２Ｄの制御信号に変換する場合の例を、図３を用いて説明する。
【００４１】
図３において、入力制御信号３０１は、制御信号格納部１１０に、時刻ｔ０からｔ１までの間（図３の最下段の第５段を参照）、制御信号３０２（第２段を参照）として格納される。
【００４２】
時刻ｔ１において格納されている、この制御信号３０２については、次の処理がされる。つまり、区間３０３において、制御信号判定部１２０により、入力制御信号１６０の種別は変化しないと判定される。
【００４３】
そして、制御信号変換部１３０に、この判定がされたことが通知される。通知された、この判定は、変換無しとの判定であり、図２のＳ２０１のＮＯの判定である。すなわち、Ｓ２０１のＹＥＳの判定は、先述の通り、種別の変化があり、かつ、その変化において、第２の種別へと変化してから、第１の種別に戻るまでの、変化中の期間の長さが、一定の時間の長さ以内であるとの判定である。従って、例えば、Ｓ２０１における、他方のＮＯの判定は、そもそも変化がない第１の場合にされる（上述された、時刻ｔ１での制御信号３０２の判定を参照）か、または、変化があったものの、その変化での、上述の期間の長さが、上述の一定の時間の長さよりも大きい第２の場合（図略）にされてもよい。
【００４４】
このような、Ｓ２０１のＮＯにおける、変換無しの判定３０４（その判定を示す情報３０４）を基に、制御信号３０２を、そのまま、出力制御信号３０５として、制御信号変換部１３０（図１）が出力する（図３の第４段を参照）。
【００４５】
また、入力制御信号３０６（図３）は、制御信号格納部１１０に、時刻ｔ２からｔ３までの間、制御信号３０７として格納される。
【００４６】
時刻ｔ３において格納されている制御信号３０７については、次の処理がされる。すなわち、区間３０８において、制御信号判定部１２０により、２Ｄの制御信号から、３Ｄの制御信号に変化した後、元の２Ｄの制御信号に戻っていると判定される（図２のＳ２０１のＹＥＳ）。このため、制御信号変換部１３０に通知された、２Ｄへ変換との判定３０９（その判定がされたことを示す情報３０９）を基に、制御信号変換部１３０（図１）は、この制御信号３０７を、２Ｄへ変換し、変換後の信号を、出力制御信号３１０として出力する。
【００４７】
図４は、本発明の実施例１の映像信号変換部１４０における、入力映像信号１７０の変換工程を示すフローチャートである。
【００４８】
次に、入力映像信号１７０の変換工程を、図４のフローチャートを参照して説明する。
【００４９】
ステップＳ４０１において、映像信号変換部１４０は、制御信号変換部１３０より入力された入力制御信号１６０と、出力制御信号１６１とを比較する。そして、入力制御信号１６０が、出力制御信号１６１と異なる場合には（Ｓ４０１のＹＥＳ）、ステップＳ４０２へ進む（図３における、入力制御信号３０６、３１０を参照）。また、入力制御信号１６０と、出力制御信号１６１が等しい場合には（Ｓ４０１のＮＯ）、ステップＳ４０３へ進む（入力制御信号３０１、３０４を参照）。
【００５０】
ステップＳ４０２において、映像信号変換部１４０は、映像信号格納部１５０に、一定の時間分格納されている入力映像信号１７０を、入力制御信号１６０のフォーマット（第１の映像フォーマット）から、出力制御信号１６１のフォーマット（第２の映像フォーマット）に変換する。そして、Ｓ４０２では、映像信号変換部１４０は、変換後における、出力制御信号１６１のフォーマットでの信号を、出力映像信号１７１として出力する。
【００５１】
ステップＳ４０３において、映像信号格納部１５０に、一定の時間分格納されている入力映像信号１７０を、そのまま出力映像信号１７１として出力する。
【００５２】
図５は、本発明の実施例１の映像信号変換部１４０における、映像信号の変換処理の具体例を示す図である。
【００５３】
ここで、本実施例１における、映像信号変換の処理の様子を、入力映像信号１７０を、入力制御信号１６０でのフォーマットから、出力制御信号１６１でのフォーマットに変換し、出力映像信号１７１として出力する場合の例を、図５を用いて説明する。
【００５４】
図５において、入力映像信号５０１は、映像信号格納部に、時刻ｔ０からｔ１までの間、映像信号５０２として格納される。
【００５５】
時刻ｔ１において、この映像信号５０２については、次の処理がされる。すなわち、制御信号変換部１３０より入力された、２Ｄの入力制御信号５０３と、２Ｄの出力制御信号５０４とが、何れも、同じ２Ｄの制御信号である（Ｓ４０１のＮＯ）。このため、映像信号変換部１４０は、この映像信号５０２を、時刻ｔ１で、そのまま、２Ｄの出力映像信号５０５として出力する。
【００５６】
また、入力映像信号５０６は、映像信号格納部１５０に、時刻ｔ２からｔ３までの間、映像信号５０７として格納される。
【００５７】
時刻ｔ３において、この映像信号５０７については、次の処理がされる。すなわち、制御信号変換部１３０より入力された、３Ｄの入力制御信号５０８と、２Ｄの出力制御信号５０９との制御信号種別が異なっている（Ｓ４０１のＹＥＳ）。このため、時刻ｔ３で、映像信号変換部１４０により、３Ｄの映像信号から、２Ｄの映像信号に変換されて、変換後の信号が、出力映像信号５１０として出力される。
【００５８】
以上のように、本実施例１によれば、入力制御信号を変換し、出力制御信号として出力し（Ｓ２０１のＹＥＳ、Ｓ２０２）、入力映像信号を変換し、出力映像信号として出力する（Ｓ４０１のＹＥＳ、Ｓ４０２）。このことで、制御信号の切り替えと、映像信号の切り替えとを、何れも発生させることなく、表示時刻に応じて、２Ｄ映像と、３Ｄ映像とが切り替わる映像信号を出力し続けることができる。
【００５９】
また、入力制御信号と、出力制御信号とが異なる場合（図４のＳ４０１のＹＥＳ）、入力映像信号を、入力制御信号でのフォーマットから、出力制御信号でのフォーマットに変換することで（Ｓ４０２）、出力制御信号でのフォーマットに応じた、出力映像信号を出力させることができる。
【００６０】
なお、上記実施例では、３Ｄ映像を２Ｄ映像に変換するようにしたが、このようでなくてもよい。
【００６１】
すなわち、２Ｄ映像を３Ｄ映像に変換する場合でも、同様に出来、２Ｄ映像から３Ｄ映像へ、またはその逆の切り替えを生じない構成とすることができ、映像の方式が切り替わる時における課題を解決できる。
【００６２】
なお、本実施例１では、映像信号変換部１４０で、入力映像信号を、入力制御信号のフォーマットから、出力制御信号のフォーマットに変換したが、このようでなくてもよい。
【００６３】
すなわち、映像信号変換部１４０で、入力映像信号を黒映像に変換し、変換後の黒映像を出力させてもよく、また映像信号変換部１４０で、入力映像信号を、入力信号変化前の最後の映像信号に変換し、出力させてもよい。
【００６４】
これによって、ディスプレイ装置で、２Ｄまたは３Ｄの映像方式の切り替わりが発生する場合の、ディスプレイの周波数切り替えに伴う映像の乱れを抑制したり、周波数切り替えに伴う、映像が出力できない区間が生じることを、抑制したりすることができる。
【００６５】
また、本発明は、以上の実施例に限定されることなく、種々の変更が可能であり、それらも本発明の範囲内に包含されるものであることは言うまでもない。
【００６６】
（実施例２）
本実施例２において、本発明に係る信号処理装置について説明する。
【００６７】
図６は、本実施例における信号処理装置６００に、ディスプレイ装置６２０の表示信号を通知するための構成を示すブロック図である。
【００６８】
なお、図６において、制御信号格納部１１０と、制御信号判定部１２０と、制御信号変換部１３０と、映像信号格納部１５０と、入力制御信号１６０と、出力制御信号１６１と、入力映像信号１７０と、出力映像信号１７１とのそれぞれは、それに対応する、実施例１での要素（図１参照）と同一の要素である。図６における、これら制御信号格納部１１０等の詳しい説明は、適宜省略される。
【００６９】
映像再生装置６１０は、信号処理装置６００と、表示信号送受信部６３０とで構成される。
【００７０】
ディスプレイ装置６２０は、表示信号送受信部６４０と、映像出力部６５０とで構成される。
【００７１】
また、前記ディスプレイ装置６２０は、３Ｄ表示に対応した、液晶、プラズマディスプレイ等の装置であり、前記出力制御信号のデータに応じて、そのディスプレイ装置６２０における表示での表示方式について、２Ｄ、３Ｄの間での自動切り換えを実施する他、設定に応じて、３Ｄの表示方式を選択する事が出来る。
【００７２】
映像再生装置６１０において、表示信号送受信部６３０は、前記出力制御信号１６１と、前記出力映像信号１７１とをそれぞれ受け、表示信号として、信号を送出する。
【００７３】
ディスプレイ装置６２０において、表示信号送受信部６４０は、前記表示信号送受信部６３０より受信した表示信号を、前記映像出力部６５０へ送出する。
【００７４】
表示信号送受信部６３０と、表示信号送受信部６４０との間で通信を行う表示信号は、具体的には、ＨＤＭＩ（High-Definition Multimedia Interface）規格で定義されたデータ、または、そのようなデータでの表示信号と同等の表示信号であり、映像信号と、制御信号を纏めて通信する事が出来る信号である。また、表示信号送受信部６３０と、表示信号送受信部６４０とは、ＨＤＭＩケーブル等で互いに接続されており、ディスプレイの周波数の切り替えに伴う映像の乱れや映像が出力できないという本願の従来技術の課題は、ＨＤＭＩケーブル等で接続された状態で発生するものなどである。
【００７５】
また、前記ディスプレイ装置６２０は、表示方式選択情報（図６の情報６２０Ｉ）を、表示信号送受信部６３０へ送出し、送出された表示方式選択情報を、映像信号変換部６６０が受信する。
【００７６】
前記表示方式選択情報は、前記ディスプレイ装置６２０が、２Ｄ、３Ｄの表示切り替えについて、前記出力制御信号のデータに応じて、自動切り換えを実施しているか、または、設定に応じて、強制切り替えを実施しているかを示す情報である。そして、この表示方式選択情報は、強制切り替えの場合には、さらに、前記入力制御信号１６０および出力制御信号１６１（図６）と同等の、３Ｄ方式の種別（先述された、サイドバイサイド方式の種別などを参照）を選択する情報である。
【００７７】
前記映像信号変換部６６０は、実施例１の映像信号変換部１４０の機能を有するに加え、前記表示方式選択情報を、判断条件に加えて、加えられた判断条件を用いて、出力映像信号の変換を実施する。
【００７８】
これによって、入力映像信号を、ディスプレイ装置６２０の表示方式に合わせて変換し、出力映像信号として出力する。このことで、ディスプレイ装置６２０の設定変更を行う事無く、好適な３Ｄ映像を、表示し続けることができる。
【００７９】
以上のように構成された、実施例２の信号処理装置６００について、以下、その動作を説明する。
【００８０】
図７は、本発明の実施例２の映像信号変換部６６０における映像信号の変換工程を示すフローチャートである。
【００８１】
映像信号変換部６６０における、映像信号の変換工程を、図７のフローチャートを参照して説明する。
【００８２】
ステップＳ７０１において、映像信号変換部６６０は、表示方式選択情報が、強制切り替えを実施しているのを示す場合には（Ｓ７０１のＹＥＳ）、ステップＳ７０３へ進む。また、表示方式選択情報が、強制切り替えを実施しているのを示すのではなく、自動切り換えを実施しているのを示す場合には（Ｓ７０１のＮＯ）、ステップＳ７０２へ進む。
【００８３】
ステップＳ７０２において、制御信号変換部１３０より入力された入力制御信号１６０と、出力制御信号１６１とを比較し、入力制御信号１６０と、出力制御信号１６１が異なる場合には（Ｓ７０２のＹＥＳ）、ステップＳ７０４へ進む。また、入力制御信号１６０と出力制御信号１６１とが等しい場合には（Ｓ７０２のＮＯ）、ステップＳ７０５へ進む。
【００８４】
ステップＳ７０３において、映像信号変換部６６０は、映像信号格納部１５０に格納されている入力映像信号１７０を、表示方式選択情報に応じて変換し、変換後の信号を、出力映像信号１７１として出力する。
【００８５】
ステップＳ７０４において、映像信号変換部６６０は、映像信号格納部１５０に格納されている入力映像信号１７０を、入力制御信号１６０のフォーマットから、出力制御信号１６１のフォーマットに変換し、変換後のフォーマットの信号を、出力映像信号１７１として出力する。
【００８６】
ステップＳ７０５において、映像信号格納部１５０に格納されている入力映像信号１７０を、そのまま、出力映像信号１７１として出力する。
【００８７】
図８は、本発明の実施例２の映像信号変換部における映像信号の変換例を示す図である。
【００８８】
ここで、本実施例２における、映像信号変換の処理の様子について、入力映像信号を、出力制御信号のフォーマットに変換して、変換後の信号を、出力映像信号として出力する場合の例を、図８を用いて説明する。
【００８９】
２Ｄの入力制御信号８０１と、サイドバイサイド映像（ＳＢＳ）の入力映像信号８０２との組み合わせ部分は、制御信号無しの３Ｄ表示信号の部分である。
【００９０】
トップアンドボトム（ＴＡＢ）の入力制御信号８０３と、ＴＡＢの入力映像信号８０４との組み合わせ部分は、制御信号付きの３Ｄ表示信号の部分である。
【００９１】
通常では、制御信号無しの３Ｄ表示信号と、制御信号付きの３Ｄ表示信号とが混在する事は無いが、録画映像を編集した場合には、混在する場合が考えられる。
【００９２】
また、制御信号無しの３Ｄ表示信号を、３Ｄ対応のディスプレイ装置６２０で受信した場合、制御信号が存在しない為に、３Ｄ表示への自動切り換えを行う事が出来ず、強制切り替えで、ＳＢＳ方式を選択する事となる。
【００９３】
入力制御信号に対しては、実施例１での変換と同等の変換が実施され、ＴＡＢとして入力された入力制御信号８０３が、２Ｄの出力制御信号８０５として変換され、出力される。
【００９４】
ＴＡＢとして入力された入力映像信号８０４には、実施例１では、出力制御信号８０５に対応する形で、２Ｄへの変換が実施されていたが、ディスプレイ装置６２０が、強制ＳＢＳ方式で、表示信号を受信している為、ＳＢＳ方式以外の方式で映像信号を受信すると、画像乱れが発生する事となる。
【００９５】
本実施例２に於いては、ディスプレイ装置６２０が、強制ＳＢＳ方式である事を、表示方式選択情報８０６として受信している為、入力制御信号８０３を、変換前の期待値とすると共に、表示方式選択情報８０６を、変換後の期待値として、変換を実施する。
【００９６】
以上のように、本実施例２に因れば、入力映像信号を、ディスプレイ装置６２０の表示方式に合わせて変換し、出力映像信号として出力することで、ディスプレイ装置６２０の設定変更を行う事無く、好適な３Ｄ映像を表示し続ける事ができる。さらに、３Ｄの種別が異なる場合においても、制御信号と映像信号の変化による切り替えを発生させることなく、好適な映像を出力させることができる。
【００９７】
なお、本実施例２では、出力制御信号１６１と、出力映像信号１７１とを、表示信号送受信部６３０で纏める事で、表示信号としてディスプレイ装置６２０に送信する構成としたが、このようである必要はない。すなわち、例えば、出力制御信号１６１と、出力映像信号１７１とを、個別に各々、ディスプレイ装置に送信してもよい。
【００９８】
なお、本発明は、装置として実現するだけでなく、このような装置が備える処理手段を備える集積回路として実現することができる。また、このような信号処理装置と表示信号送受信部により、ディスプレイ装置の特性に合わせた再生が出来る映像再生装置として実現できる。
【００９９】
また、本発明は、以上の実施例に限定されることなく、種々の変更が可能であり、それらも本発明の範囲内に包含されるものであることは言うまでもない。
【０１００】
（実施例３）
本実施例３において、本発明に係る信号処理装置について説明する。
【０１０１】
図９は、本実施例における信号処理装置９００の構成を示すブロック図である。
【０１０２】
図９において、制御信号格納部１１０と、制御信号判定部１２０と、制御信号変換部１３０と、映像信号格納部１５０と、入力制御信号１６０と、出力制御信号１６１と、入力映像信号１７０と、出力映像信号１７１とのそれぞれは、それに対応する、実施例１での要素と同一である。
【０１０３】
再生モード管理部９１０は、ユーザ操作によって変化する再生モード（情報９１０Ｉ）を、映像信号変換部９２０へ送信する。再生モードとは、具体的には、通常再生、一時停止、コマ送り、コマ戻し、早送り等のモードの事である。
【０１０４】
前記映像信号変換部９２０は、実施例１の映像信号変換部１４０の機能を有するのに加え、前記再生モードを判断条件に加え、加えられた後の判断条件を用いて、出力映像信号の変換を実施する。
【０１０５】
以上のように構成された、実施例３の信号処理装置９００について、以下、その動作の詳細を説明する。
【０１０６】
図１０は、本発明の実施例３の映像信号変換部９２０における、映像信号の変換工程を示すフローチャートである。
【０１０７】
映像信号変換部９２０における、映像信号の変換工程を、図１０のフローチャートを参照して説明する。
【０１０８】
ステップＳ１００１において、映像信号変換部９２０は、制御信号変換部１３０より入力された入力制御信号１６０と、出力制御信号１６１とを比較し、入力制御信号１６０と、出力制御信号１６１とが異なる場合には（Ｓ１００１のＹＥＳ）、ステップＳ１００２へ進む。また、入力制御信号１６０と、出力制御信号１６１とが等しい場合には（Ｓ１００１のＮＯ）、ステップＳ１００３へ進む。
【０１０９】
ステップＳ１００２において、再生モードが、コマ送り、またはコマ戻し、またはスロー再生のうちの何れかである第１の再生モードの場合には（Ｓ１００２のＹＥＳ）、ステップＳ１００３へ進む。また、再生モードが、コマ送り、またはコマ戻し、またはスロー再生のうちの何れかである第１の再生モードの場合以外の他の再生モードである第２の再生モードの場合には（Ｓ１００２のＮＯ）、ステップＳ１００４へ進む。
【０１１０】
ステップＳ１００３において、映像信号格納部１５０に格納されている入力映像信号１７０を、そのまま、出力映像信号１７１として出力する。
【０１１１】
ステップＳ１００４において、映像信号変換部９２０は、映像信号格納部１５０に格納されている入力映像信号１７０のフォーマットを、入力制御信号１６０のフォーマットから、出力制御信号１６１のフォーマットに変換し、変換後の信号を、出力映像信号１７１として出力する。
【０１１２】
以上のように、本実施例３に因れば、通常再生、または、早送り等の、一般的な視聴環境では、制御信号と映像信号の変換を実施する。この事で、好適な３Ｄ映像を維持すると共に、コマ送り、コマ戻し、スロー再生等の編集操作に使用するケースでは、ディスプレイ装置の設定変更が必要なパターンに於いても、入力情報に忠実な制御信号と映像信号の出力を行う事が出来る。つまり、本実施例によれば、再生モードに応じて、出力制御信号と出力映像信号の出力方法を変更させることができる。
【０１１３】
なお、本実施例３では、映像信号変換部９２０が判定条件に使用する再生モードとしては、コマ送り、またはコマ戻し、またはスロー再生には拘らず、他の再生モードがあっても良い。
【０１１４】
なお、本実施例３では、再生モードに限らず、編集操作を実施しているか否かの情報を、映像信号変換部に送信し、判断情報として使用しても良い。
【０１１５】
なお、本実施例３では、再生モード管理部９１０は、映像信号変換部９２０に限らず、制御信号判定部１２０、または制御信号変換部１３０に、再生モードを送信し、送信された再生モードを、判断条件として使用しても良い。
【０１１６】
なお、例えば、少なくとも、符号化データを入力する入力部と、入力した前記符号化データを復号化することで、制御信号と映像信号を各々出力する復号部と、出力された前記制御信号を、入力制御信号として格納する制御信号格納部と、前記入力制御信号により示される前記種別が、元の制御信号での元の種別から、別の制御信号での別の種別に変化してから、一定の時間内に、前記元の種別に戻っていることを判定する制御信号判定部と、判定がされた場合、変化している期間における前記入力制御信号を、変換後の制御信号へと変換し、前記変換後の制御信号を、出力制御信号として出力する制御信号変換部と、出力された前記映像信号を、入力映像信号として格納する映像信号格納部と、前記入力制御信号と、前記出力制御信号が異なる場合、前記入力映像信号を、前記入力制御信号により示される前記種別とは異なる他の種別の、変換後の映像信号へと変換し、前記変換後の映像信号を、出力映像信号として出力する映像信号変換部と、出力された前記出力制御信号と前記出力映像信号とを入力し、表示信号として、当該映像再生装置の外部へと送出する表示信号送受信部とを備える映像再生装置が構成されてもよい。
【０１１７】
すなわち、本技術によれば、先述のように、ディスプレイ装置（図６のディスプレイ装置６２０等を参照）での周波数の切り替えに伴う、映像の乱れが生じたり、映像が出力できない期間が頻繁に発生したり、映像方式の頻繁な切り替わりによる、視聴者の目の疲れを発生させるという問題が生じないようできる。
【０１１８】
なお、本発明は、装置、集積回路などとして実現できるだけでなく、その装置等を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【０１１９】
なお、本発明は、装置として実現するだけでなく、このような装置が備える処理手段を備える集積回路として実現することができる。また、このような信号処理装置が備える処理手段を備える映像再生装置として実現できる。また、映像再生装置を構成する処理手段をステップとする方法として実現することもできる。
【０１２０】
また、本発明は、以上の実施例に限定されることなく、種々の変更が可能であり、それらも本発明の範囲内に包含されるものであることは言うまでもない。
【産業上の利用可能性】
【０１２１】
本発明は、映像処理装置に適用でき、特に、デジタルビデオレコーダ及びデジタルテレビ等に適用することができる。
【符号の説明】
【０１２２】
１００、６００、９００    信号処理装置
１１０    制御信号格納部
１２０    制御信号判定部
１３０    制御信号変換部
１４０、６６０、９２０    映像信号変換部
１５０    映像信号格納部
１６０、５０３、５０８    入力制御信号
１６１、５０４、５０９    出力制御信号
１７０、５０１、５０６    入力映像信号
１７１、５０５、５１０    出力映像信号  
６１０    映像再生装置
６２０    ディスプレイ装置
６３０、６４０    表示信号送受信部
６５０    映像出力部
９１０    再生モード管理部
【図１】
2013001784.tif 000003
【図２】
2013001784.tif 000004
【図３】
2013001784.tif 000005
【図４】
2013001784.tif 000006
【図５】
2013001784.tif 000007
【図６】
2013001784.tif 000008
【図７】
2013001784.tif 000009
【図８】
2013001784.tif 000010
【図９】
2013001784.tif 000011
【図１０】
2013001784.tif 000012
【国際調査報告】
2013001784.tif 000013
2013001784.tif 000014